(57)【要約】【課題】電動送風機を駆動したまま操作パイプの先端部を差込部に差し込んでも電動送風機に過負荷がかかってしまうことのない電気掃除機を提供する。【解決手段】吸込室２２を有する吸込口体２０と、この吸込口体２０の上に傾動自在に配置され、塵埃を集塵する集塵容器５０この集塵容器５０に塵埃を吸引させるための電動送風機３３とを有した掃除機本体３０と、この掃除機本体３０の筒体３６に着脱自在に差し込まれて装着される操作用パイプ４０と、吸込口体２０の吸込室２２から集塵容器５０に至る連通風路と、手元掃除用パイプ４０から集塵容器５０に至る手元掃除用風路とを備えた電気掃除機であって、操作用パイプ４０が筒体３６に差し込まれたとき、前記手元掃除用風路を閉じるとともに前記連通風路を開き、操作用パイプ４０の先端部が筒部３６から抜かれたとき、手元掃除用風路を開くとともに前記連通風路を閉じる開閉弁１００を設けた。【選択図】図２
2008253439.tif 000002
【特許請求の範囲】
【請求項１】
吸込開口を有する吸込室を形成した吸込口体と、この吸込口体の上に傾動自在に配置され、塵埃を集塵する集塵部とこの集塵部に塵埃を吸引させるための電動送風機とを有した掃除機本体と、この掃除機本体の差込部に着脱自在に差し込まれて装着される手元掃除用パイプと、前記吸込口体の吸込室から前記集塵部に至る床掃除用風路と、前記手元掃除用パイプから前記集塵部に至る手元掃除用風路とを備えた電気掃除機であって、
前記手元掃除用パイプが前記差込部に差し込まれたとき、前記手元掃除用風路を閉じるとともに前記床掃除用風路を開き、前記手元掃除用パイプの先端部が前記差込部から抜かれたとき、前記手元掃除用風路を開くとともに前記床掃除用風路を閉じる切換手段を設けたことを特徴とする電気掃除機。
【請求項２】
前記床掃除用風路は、前記掃除機本体内に設けられた連通管を有し、
前記手元掃除用風路は、前記床掃除用風路から枝分かれした枝管を有し、
前記切換手段は、前記枝管と連通管のどちらか一方を開成しているとき他方を閉塞する開閉弁であることを特徴とする請求項１に記載の電気掃除機。
【発明の詳細な説明】
【技術分野】
【０００１】
この発明は、吸込口体の上に配置された掃除機本体と、この掃除機本体に先端部が着脱自在に装着される手元掃除用パイプとを備えた電気掃除機に関する。
【背景技術】
【０００２】
従来から、吸込口体の上に掃除機本体を配置したいわゆるアップライト型の電気掃除機が知られている（特許文献１参照）。
【０００３】
かかる電気掃除機は、吸込口体にロータリパイプを備えた開閉機構を設け、掃除機本体を起立させたとき、このロータリパイプを閉塞させ、掃除機本体を傾斜させたとき、そのロータリパイプを開成させるようになっている。
【０００４】
そして、吸込口体で床面などを掃除する際には、掃除機本体が傾斜されるのでロータリパイプが開成され、これにより吸込口体から塵埃が吸引され、床面の掃除が行われる。
【０００５】
また、天井などを掃除する場合、先端パイプを掃除機本体から外して行う。すなわち、掃除機本体を起立させると、ロータリパイプが閉塞され、これにより吸込口体からの塵埃の吸込が停止され、先端パイプのみから塵埃を吸引することができるようになり、これによって先端パイプで天井などの掃除が行えるようになっている。
【特許文献１】特開２００２−２３３４８２号公報
【発明の開示】
【発明が解決しようとする課題】
【０００６】
しかしながら、このような電気掃除機にあっては、掃除機本体を床面に起立させた状態では先端パイプの先端部が届かないような高い場所を掃除する際、使用者が掃除機本体を持ち上げると、掃除機本体が吸込口体に対して相対的に回動してしまう場合がある。このような場合、ロータリパイプが開成されてしまい、先端パイプから吸引する吸引力が低下してしまう。
【０００７】
また、ベッドの下などのある程度の低い場所を掃除する際に、使用者が掃除機本体の把持部を持ったまま掃除機本体を倒して掃除を行うことがある。この場合もロータリパイプが開成されてしまい、先端パイプ（手元掃除用パイプ）から吸引する吸引力が低下してしまう。
【０００８】
この発明の目的は、掃除機本体を傾斜させても手元掃除用パイプから吸引する吸引力が低下してしまうことのない電気掃除機を提供することにある。
【課題を解決するための手段】
【０００９】
この発明は、吸込開口を有する吸込室を形成した吸込口体と、この吸込口体の上に傾動自在に配置され、塵埃を集塵する集塵部とこの集塵部に塵埃を吸引させるための電動送風機とを有した掃除機本体と、この掃除機本体の差込部に着脱自在に差し込まれて装着される手元掃除用パイプと、前記吸込口体の吸込室から前記集塵部に至る床掃除用風路と、前記手元掃除用パイプから前記集塵部に至る手元掃除用風路とを備えた電気掃除機であって、
前記手元掃除用パイプが前記差込部に差し込まれたとき、前記手元掃除用風路を閉じるとともに前記床掃除用風路を開き、前記手元掃除用パイプの先端部が前記差込部から抜かれたとき、前記手元掃除用風路を開くとともに前記床掃除用風路を閉じる切換手段を設けたことを特徴とする。
【発明の効果】
【００１０】
この発明によれば、掃除機本体を傾斜させても手元掃除用パイプから吸引する吸引力が低下してしまうことがない。
【発明を実施するための最良の形態】
【００１１】
以下、この発明に係る電気掃除機の実施の形態である一実施例を図面に基づいて説明する。
【実施例】
【００１２】
図１および図２はアップライト型の電気掃除機１０を示す。このアップライト型の電気掃除機１０は、底面に吸込開口２１を有する吸込室２２を形成した吸込口体２０と、掃除機本体３０と、この掃除機本体３０に着脱可能に装着された手元掃除用パイプ４０とを備えている。
【００１３】
吸込口体２０の後部には、点Ｏ（図２参照）を中心にして前後方向（図２において左右方向）に回動可能な回転管２３が設けられており、この回転管２３は吸込口体２０の吸込室２２に連通されている。また、回転管２３の上部は後述する掃除機本体３０の下部の接続口部３１に着脱可能に接続されており、掃除機本体３０が回転管２３とともに点Ｏを中心にして前後に傾動可能となっている。
【００１４】
掃除機本体３０は、内部に形成された集塵容器室３２と、この集塵容器室３２に着脱可能に装着された集塵容器（集塵部）５０と、この集塵容器５０内の空気を吸引する電動送風機３３と、この集塵容器５０の接続開口５１と接続口部３１とを連通する連通管３４と、この連通管３４の水平部３４Ａに設けられた枝管３５と、底面が閉塞され上部が開口した筒体（差込部）３６とを備えている。この筒体３６の開口３６Ａが差込口となっている。枝管３５は、連通管３４の水平部３４Ａを介して集塵容器５０の接続開口５１に連通している。
【００１５】
そして、吸込室２２と回転管２３と連通管３４は、吸込口体２０の吸込室２２から掃除機本体３０の集塵容器５０に至る床掃除用風路を形成している。
【００１６】
また、連通管３４の水平部３４Ａ内には、開閉弁（切換手段）１００が設けられている。この開閉弁１００は、図２に示す実線位置と鎖線位置とに切り換え可能となっており、実線位置に切り換えられたとき枝管３５が閉成され、鎖線位置に切り換えられたとき枝管３５より上流側の連通管３４が閉成される。
【００１７】
すなわち、開閉弁１００は、床掃除用風路を閉成しているとき後述する手元掃除用風路を開成し、この手元掃除用風路を閉成しているとき床掃除用風路を開成する。
【００１８】
開閉弁１００の回動軸１０１は、連通管３４を貫通して連通管３４の外側に突出している。この突出部にギア１０２が装着され、ギア１０２の回動によって開閉弁１００が切り換えられるようになっている。
【００１９】
筒体３６の下部には図３に示すように穴３６Ｈが形成され、この穴３６Ｈにはロッド１１０の先端部１１０Ａが挿入されて筒体３６内に進入している。このロッド１１０は、左右方向（図２において）に移動可能に掃除機本体３０内に設けられており、図示しないスプリングにより左方向へ付勢されている。
【００２０】
ロッド１１０の先端部１１０Ａには、左方向（図３において）の斜め上方に向いた傾斜面１１０ｂが形成されている。また、ロッド１１０の後部（図３において右端部）の下面にはラック１１１が形成され、このラック１１１がギア１０２に噛合されている。
【００２１】
そして、ロッド１１０が図３に示す位置から左方向へ移動すると、図４に示すように開閉弁１００が連通管３４を閉塞し、この図４に示す位置からロッド１１０が右方向へ移動すると、図３に示すように開閉弁１００が枝管３５を閉塞するようになっている。そして、開閉弁１００とギア１０２とロッド１１０等とで切換手段が構成される。
【００２２】
手元掃除用パイプ４０は、手元操作管体４１と、この手元操作管体４１の先端部に着脱可能に接続された伸縮接続パイプ４２とを備えている。
【００２３】
手元操作管体４１の後部（図２において上部）には集塵ホース４３の一端が接続され、この集塵ホース４３の他端が枝管３５に接続されている。そして、伸縮接続パイプ４２は手元操作管体４１および集塵ホース４３を介して枝管３５に連通している。
【００２４】
そして、手元掃除用パイプ４０と集塵ホース４３と枝管３５と連通管３４の一部は、手元掃除用パイプ４０から集塵容器５０に至る手元掃除用風路を形成している。
【００２５】
伸縮接続パイプ４２の先端には鶴口の吸込具（先端部）４４が着脱可能に装着されている。そして、この吸込具４４および伸縮接続パイプ４２の先端部が筒体３６内に取り外し可能に差し込まれている。
【００２６】
伸縮接続パイプ４２の吸込具４４が図３に示すように筒体３６内に差し込まれると、吸込具４４の先端部４４Ａがロッド１１０の先端部１１０Ａの傾斜面１１０ｂに当接して、ロッド１１０をスプリングの付勢力に抗して右方向に押していくので、開閉弁１００が枝管３５を閉塞する。
【００２７】
この状態から伸縮接続パイプ４２の吸込具４４を筒体３６内から抜くと、ロッド１１０はスプリングの付勢力により左方向へ移動されて、図４に示すように開閉弁１００が連通管３４を閉塞する。
【００２８】
手元操作管体４１は、図１および図２に示すように把手部４１ａを備えている。
【００２９】
伸縮接続パイプ４２は、外側接続パイプ４５内に引き出し可能に挿入された内側パイプ４６とを備えている。内側パイプ４６は、外側接続パイプ体４５に設けたボタン４７を押すことにより任意の位置の長さに引き出すことができ、そのボタン４７の押圧を解除すると、内側パイプ４６がその引き出された長さに外側接続パイプ４５に対して固定されるようになっている。
［動  作］
次に、上記のように構成される電気掃除機の動作について説明する。
【００３０】
伸縮接続パイプ４２の吸込具４４が、図２および図３に示すように筒体３６内に差し込まれている場合、ロッド１１０は右方向へ移動されているので、開閉弁１００が枝管３５を閉塞し、吸込口体２０の吸込開口２１が回転管２３および連通管３４を介して掃除機本体３０の集塵容器５０内に連通されている。
【００３１】
そして、図示しない電源スイッチがオンされて電動送風機３３が駆動されると、集塵容器５０,連通管３４および回転管２３を介して吸込口体２０の吸込室２２に負圧が作用し、吸込口体２０の吸込開口２１から空気および塵埃が吸引されていく。この空気および塵埃は、吸込室２２,回転管２３および連通管３４を介して集塵容器５０へ吸引されていく。
【００３２】
この集塵容器５０内で塵埃と空気が分離されて塵埃が集塵されていき、空気は電動送風機３３の吸引開口３３Ａへ吸引されていく。吸引開口３３Ａへ吸引された空気は電動送風機３３内を通って掃除機本体３０の排気口（図示せず）から排気される。
【００３３】
次に、天井や隙間の狭い場所を掃除する場合について説明する。
【００３４】
先ず、伸縮接続パイプ４２の吸込具４４を掃除機本体３０の筒体３６から抜き取る。吸込具４４が筒体３６から抜き取られると、ロッド１１０はスプリングの付勢力により左方向へ移動され、このロッド１１０の移動により図４に示すように開閉弁１００が連通管３４を閉塞し、吸込具４４が伸縮接続パイプ４２,手元操作管体４１,集塵ホース４３および枝管３５を介して集塵容器５０に連通される。
【００３５】
そして、図示しない電源スイッチがオンされて電動送風機３３が駆動されると、集塵容器５０,枝管３５,集塵ホース４３,手元操作管体４１および伸縮接続パイプ４２を介して吸込具４４に負圧が作用し、この吸込具４４から空気および塵埃が吸引されていく。この空気および塵埃は、伸縮接続パイプ４２,手元操作管体４１,集塵ホース４３および枝管３５を介して集塵容器５０へ吸引されていく。
【００３６】
この場合、例えば掃除機本体３０を持ち上げて天井などの高い所を掃除する際に、吸込口体２０が掃除機本体３０に対して相対的に傾斜しても、この傾斜に拘わらず開閉弁１００が連通管３４を閉塞しているので、吸込具４４の塵埃の吸引力が低下してしまうことがない。
【００３７】
また、ベッドなどの下を吸込具４４で掃除する際に、掃除機本体３０の把持部３０Ｔを手で持ってその掃除機本体３０を傾けた場合であっても、掃除機本体３０の傾きに拘わりなく開閉弁１００が連通管３４を閉塞しているので、吸込具４４の塵埃の吸引力が低下してしまうことがない。
【００３８】
上記実施例は、開閉弁１００の切り換えをロッド１１０とギア１０２を用いて行っているが、これに限定するものではなく、例えば電磁弁など使用し、吸込具４４が掃除機本体３０の筒体３６に差し込まれているか否かをセンサで検知し、このセンサの検知に基づいて電磁弁により弁の切り換えを行うようにしてもよい。
【図面の簡単な説明】
【００３９】
【図１】この発明に係るアップライト式の電機掃除機の外観を示した斜視図である。
【図２】図１のアップライト式の電機掃除機の構成を示した断面図である。
【図３】図２に示す枝管と連通管と開閉弁とを示した説明図である。
【図４】図３に示す開閉弁の切り換えを示した説明図である。
【符号の説明】
【００４０】
２０          吸込口体
２１          吸込開口
２２          吸込室
３０          掃除機本体
３３          電動送風機
３４          連通管
３５          枝管
３６          筒体（差込部）
４４          吸込具
５０          集塵容器（集塵部）
１００        開閉弁（切換手段）
【図１】
2008253439.tif 000003
【図２】
2008253439.tif 000004
【図３】
2008253439.tif 000005
【図４】
2008253439.tif 000006